(57)【特許請求の範囲】
【請求項１】
建築物の躯体の内壁面または外壁面に沿って水平方向に延在張設する基板を備え、この基板の前記内壁面または外壁面とは反対側の側面に上下に離間する上側レール部と下側レール部とをそれぞれ平行に突設してなる胴縁部材と、
前記胴縁部材を長手方向に所定間隔で垂直に切断し、この切断片を反転させてその基板部側を所要の矩形状に形成した内装パネル材または外装パネル材の背面に配置固定してなるハンガー部材とからなり、
前記複数の胴縁部材を建築物の躯体の内壁面または外壁面に沿って平行に配設固定し、前記内装パネル材または外装パネル材に固定されたハンガー部材を前記胴縁部材の上側レール部と下側レール部に対し同時にスライド可能に懸吊支持させるように構成することを特徴とする内装パネル材および外装パネル材の取付用金具。
【請求項２】
前記胴縁部材は、上側レール部が上方開口の溝部と肩部とを並設すると共に、下側レール部が上方開口の溝部を備え、前記ハンガー部材は、その断面形状において前記胴縁部材の中心部に対し、１８０°回転対称となるように構成してなる請求項１記載の内装パネル材および外装パネル材の取付用金具。
【請求項３】
前記ハンガー部材は、胴縁部材の上側レール部に対応する下側ハンガー部が、胴縁部材の下側レール部に嵌合すると共に、胴縁部材の下側レール部に対応する上側ハンガー部が、胴縁部材の上側レール部に嵌合するように構成してなる請求項１または２記載の内装パネル材および外装パネル材の取付用金具。
【請求項４】
前記胴縁部材のレール部に懸吊支持される内装パネル材または外装パネル材に固定されたハンガー部材の移動を固定するため、前記ハンガー部材の上側ハンガー部と前記胴縁部材の上側レール部との懸吊支持部に、クリップやねじ具を設けてなる請求項１ないし３のいずれかに記載の内装パネル材および外装パネル材の取付用金具。
【請求項５】
建築物の躯体の内壁面または外壁面に沿って水平方向に延在張設する基板を備え、この基板の前記内壁面または外壁面とは反対側の側面に上下に離間する上側レール部と下側レール部とをそれぞれ平行に突設してなる胴縁部材を、前記建築物の躯体の内壁面または外壁面にアンカーボルトを介して所定間隔離間させてそれぞれ平行に複数配置固定し、
所要の矩形状に形成した複数の内装パネル材または外装パネル材の背面に、前記胴縁部材を長手方向に所定間隔で垂直に切断し、この切断片を反転させてなるハンガー部材を適宜離間させて配置固定し、
前記内装パネル材または外装パネル材に固定されたハンガー部材の上側ハンガー部と下側ハンガー部とを、胴縁部材の各レール部に同時にスライド可能に懸吊支持させて、複数の内装パネル材または外装パネル材を順次並列させて胴縁部材に取付け、
さらに前記内装パネル材または外装パネル材に固定されたハンガー部材の上側ハンガー部と胴縁部材の上側レール部との懸吊支持部に、クリップやねじ具を設けて前記ハンガー部材の移動を固定することを特徴とする内装パネル材および外装パネル材の取付け方法。
【発明の詳細な説明】
【０００１】
【発明の属する技術分野】
本発明は、乾式工法により石材等からなる内装パネル材または外装パネル材を建築物の躯体の内壁面または外壁面に取付けるための取付用金具およびその取付け方法に関するものである。
【０００２】
【従来の技術】
従来において、建築物の内装構造としては、躯体の内壁面あるいは天井面に対して、所定の寸法からなる下地ボードを、それぞれ隙間なく突き合わせ状態で固定し、これら下地ボードの表面にクロス貼りや塗装を施した構成からなるものが採用されている。そして、前記下地ボードとしては、例えば石膏ボード、ベニヤ合板、ケイカル板等の種々のボードが適用されている。
【０００３】
一方、建築物の外装構造としては、躯体の外壁面に石材等からなる外装材を、乾式工法により取付ける技術が知られている。
【０００４】
例えば、コンクリート製の矩形状板体からなる外壁パネルに対し、一枚の金属板を折曲げて形成した取付け金具を設けて、この取付け金具を外壁パネルの寸法に応じて建築物の軸組に張設した下地板に固定配置し、これら取付け金具によって前記外壁パネルの隣接する上下部を支持するように構成した外壁パネルの取り付け方法が知られている（特許第２６８１１０８号公報）。
【０００５】
また、前記外壁パネルの取付け方法の改良案として、表面に石材が接着され裏面にアルミニウム・ハニカムパネルが接着された外装材を形成し、この外装材の取付用金具として、躯体壁面に取付ける取付部と、躯体壁面との隙間を持たせる隙間形成部と、外装材のアルミニウム・ハニカムパネルへ挿入する差し込み部とを設けた構成とし、前記取付用金具を躯体壁面に直接固定してアルミニウム・ハニカムパネルを備えた外装材を、前記アルミニウム・ハニカム構造を有効に利用して取付ける手段が提案されている（特開平１０−６１１４３号公報）。
【０００６】
このように、外装材を建築物の躯体の外壁面に対して、取付用金具を使用して直接取付ける手段は、既に公知であるが、内装材については、前述したように下地ボードを使用するのが一般的である。
【０００７】
しかしながら、今日の内装材としては、外装材と同様に、表面に石材やつき板等を接着接合した構成からなるパネル材を適用することが増大している。
【０００８】
【発明が解決しようとする課題】
そこで、本発明者は、鋭意研究並びに検討を重ねた結果、建築物の躯体の内壁面に沿って水平方向に延在張設する基板を設け、この基板の前記内壁面とは反対側の側面に上下に離間する上側レール部と下側レール部とをそれぞれ平行に突設してなる胴縁部材を構成し、一方前記胴縁部材を長手方向に所定間隔で垂直に切断して形成したハンガー部材を、それぞれ反転させてその基板部側を所要の矩形状に形成した内装パネル材の背面に配置固定し、前記複数の胴縁部材を建築物の躯体の内壁面に沿って平行に配置固定して、前記内装パネル材に固定されたハンガー部材を前記胴縁部材の上側レール部と下側レール部に対し同時にスライド可能に懸吊支持させるよう構成し、さらに前記ハンガー部材の上側ハンガー部と前記胴縁部材の上側レール部との懸吊支持部に、クリップやねじ具を設けて前記ハンガー部材の移動を固定した構成とすることにより、従来のような下地ボードを使用することなく、直接建築物の躯体等の内壁面に対して、乾式工法により簡便にかつ確実に取付けることができる、内装パネル材の取付用金具およびその取付け方法の開発に成功した。
【０００９】
この場合、前記構成からなる内装パネル材の取付け方法は、外装パネル材の取付け方法としても有効であることを突き止めた。すなわち、この場合、建築物の躯体の外壁面に沿って水平方向に延在張設する基板を備え、この基板の前記外壁面とは反対側の側面に上下に離間する上側レール部と下側レール部とをそれぞれ平行に突設してなる胴縁部材を、前記建築物の躯体の外壁面にアンカーボルト等を介して所定間隔離間させてそれぞれ平行に複数配置固定し、所要の矩形状に形成した複数の外装パネル材の背面に、前記胴縁部材を長手方向に所定間隔で垂直に切断し、この切断片を反転させてなるハンガー部材を適宜離間させて配置固定し、前記外装パネル材に固定されたハンガー部材の上側ハンガー部と下側ハンガー部とを同時にスライド可能に懸吊支持させて、複数の外装パネル材を順次並列させて胴縁部材に取付け、さらに前記外装パネル材に固定されたハンガー部材の上側ハンガー部と胴縁部材の上側レール部との懸吊支持部に、クリップやねじ具を設けて前記ハンガー部材の移動を固定する構成とすることができる。
【００１０】
従って、本発明の目的は、パネル材からなる内装材または外装材を、従来のような下地ボード等を使用することなく、直接建築物の躯体の内壁面または外壁面に対して、所要の取付用金具を使用することにより、乾式工法によって簡便にかつ確実に取付けることができる内装パネル材および外装パネル材の取付用金具並びにその取付け方法を提供することにある。
【００１１】
【課題を解決するための手段】
前記の目的を達成するため、本発明に係る内装パネル材および外装パネル材の取付用金具は、建築物の躯体の内壁面または外壁面に沿って水平方向に延在張設する基板を備え、この基板の前記内壁面または外壁面とは反対側の側面に上下に離間する上側レール部と下側レール部とをそれぞれ平行に突設してなる胴縁部材と、
前記胴縁部材を長手方向に所定間隔で垂直に切断し、この切断片を反転させてその基板部側を所要の矩形状に形成した内装パネル材または外装パネル材の背面に配置固定してなるハンガー部材とからなり、
前記複数の胴縁部材を建築物の躯体の内壁面または外壁面に沿って平行に配設固定し、前記内装パネル材または外装パネル材に固定されたハンガー部材を前記胴縁部材の上側レール部と下側レール部に対し同時にスライド可能に懸吊支持させるように構成することを特徴とする。
【００１２】
この場合、前記胴縁部材は、上側レール部が上方開口の溝部と肩部とを並設すると共に、下側レール部が上方開口の溝部を備え、前記ハンガー部材は、その断面形状において前記胴縁部材の中心部に対し、１８０°回転対称となるように構成することができる。
【００１３】
また、前記ハンガー部材は、胴縁部材の上側レール部に対応する下側ハンガー部が、胴縁部材の下側レール部に嵌合すると共に、胴縁部材の下側レール部に対応する上側ハンガー部が、胴縁部材の上側レール部に嵌合するように構成することができる。
【００１４】
さらに、前記胴縁部材のレール部に懸吊支持される内装パネル材または外装パネル材に固定されたハンガー部材の移動を固定するため、前記ハンガー部材の上側ハンガー部と前記胴縁部材の上側レール部との懸吊支持部に、クリップやねじ具を設けることができる。
【００１５】
そして、前記内装パネル材または外装パネル材の取付用金具を使用する本発明に係る内装パネル材および外装パネル材の取付け方法は、建築物の躯体の内壁面または外壁面に沿って水平方向に延在張設する基板を備え、この基板の前記内壁面または外壁面とは反対側の側面に上下に離間する上側レール部と下側レール部とをそれぞれ平行に突設してなる胴縁部材を、前記建築物の躯体の内壁面または外壁面にアンカーボルトを介して所定間隔離間させてそれぞれ平行に複数配置固定し、
所要の矩形状に形成した複数の内装パネル材または外装パネル材の背面に、前記胴縁部材を長手方向に所定間隔で垂直に切断し、この切断片を反転させてなるハンガー部材を適宜離間させて配置固定し、
前記内装パネル材または外装パネル材に固定されたハンガー部材の上側ハンガー部と下側ハンガー部とを、胴縁部材の各レール部に同時にスライド可能に懸吊支持させて、複数の内装パネル材または外装パネル材を順次並列させて胴縁部材に取付け、
さらに前記内装パネル材または外装パネル材に固定されたハンガー部材の上側ハンガー部と胴縁部材の上側レール部との懸吊支持部に、クリップやねじ具を設けて前記ハンガー部材の移動を固定することを特徴とする。
【００１６】
【発明の実施の形態】
次に、本発明に係る内装パネル材および外装パネル材の取付用金具並びにその取付け方法の実施例につき、内装パネル材の場合について例示した添付図面を参照しながら以下詳細に説明する。
【００１７】
【実施例１】
図１ないし図３は、本発明に係る内装パネル材および外装パネル材の取付用金具並びにその取付け方法の一実施例を示すものである。すなわち、図１は、建築物の躯体１０の内壁面１２に対し、本発明に係る取付用金具２０を使用して、複数の内装パネル材４０を取付ける状態を示す要部断面図である。なお、本実施例において使用し得る内装パネル材４０としては、例えば矩形状に形成した石材、セラミック、ガラス、不織布類等の不燃性材料、その他木質系の内装材等を適宜使用することができる。
【００１８】
しかるに、図１において、本発明に係る取付用金具２０は、建築物の躯体１０の内壁面１２に沿って水平方向に延在張設する胴縁部材２２と、矩形状に形成した内装パネル材４０の背面に適宜離間させて配置固定してなるハンガー部材３２とから構成されている。
【００１９】
そこで、前記胴縁部材２２は、図２の（ａ）に示すように、前記建築物の躯体１０の内壁面１２に沿って水平方向に延在する基板２３を備え、この基板２３の前記躯体１０の内壁面１２とは反対側の側面に上下に離間して位置する上側レール部２４および下側レール部２６をそれぞれ平行に突設した構成からなる。
【００２０】
一方、前記矩形状に形成した内装パネル材４０の背面に、適宜離間させて配置固定してなるハンガー部材３２は、図２の（ｂ）に示すように、前記胴縁部材２２と同一の断面構成からなるものであり、前記胴縁部材２２を長手方向に所定間隔で垂直に切断し、この切断片を１８０°回転対称となるように反転させて、その基板部３３側を所要の矩形状に形成した内装パネル材４０の背面に適宜配置固定するように構成される。
【００２１】
すなわち、この場合、前記胴縁部材２２は、上側レール部２４が上方開口の溝部２５ａと肩部２５ｂとを並設すると共に、下側レール部２６が上方開口の溝部２７を備える。そして、前記ハンガー部材３２は、胴縁部材２２の上側レール部２４に対応する下側ハンガー部３４が、前記胴縁部材２２の下側レール部２６に嵌合すると共に、胴縁部材２２の下側レール部２６に対応する上側ハンガー部３６が、胴縁部材２２の上側レール部２４に嵌合するように構成される。従って、前記複数の胴縁部材２２を、建築物の躯体１０の内壁面１２に沿ってアンカーボルトにより平行に配置固定し、前記内装パネル材４０に固定されたハンガー部材３２を前記胴縁部材２２の上側レール部２４と下側レール部２６に対し、同時にスライド可能に懸吊支持させることができる。
【００２２】
なお、前記ハンガー部材３２の内装パネル材４０に対する取付け、すなわち固定手段としては、例えば予め内装パネル材４０の所定個所に穿設した穴部４２に埋込みナット４３を埋め込み固定しておき、この埋込みナット４３を利用して所要のボルト４４により前記ハンガー部材３２を適宜配置固定することができる（図１参照）。
【００２３】
このように構成した本実施例における内装パネル材の取付用金具２０によれば、前記内装パネル材４０に固定されたハンガー部材３２を、前記胴縁部材２２の上側レール部２４と下側レール部２６とに対して、同時にスライド可能に懸吊支持させることにより、ハンガー部材３２の上側ハンガー部３６と下側ハンガー部３４とは、胴縁部材２２の上側レール部２４と下側レール部２６とに、それぞれ図示のように密接に嵌合係止させることができる。
【００２４】
なお、本実施例においては、図示しないが、前記胴縁部材２２の各レール部２４，２６に懸吊支持される内装パネル材４０に固定されたハンガー部材３２の移動を固定するため、前記ハンガー部材３２の上側ハンガー部３６と前記胴縁部材２２の上側レール部２４との懸吊支持部に、クリップやねじ具をそれぞれ取付ければ好適である。
【００２５】
前述したように、本実施例においては、前記構成からなる内装パネル材４０の取付用金具２０を使用し、前記胴縁部材２２を前記建築物の躯体１０の内壁面１２にアンカーボルトを介して所定間隔離間させ、それぞれ平行に複数配置固定する。次いで、複数の内装パネル材４０にそれぞれ固定されたハンガー部材３２を、胴縁部材２２の上側レール部２４と下側レール部２６に対し、同時にスライド可能に懸吊支持させて、それぞれ複数の内装パネル材４０を順次並列させて胴縁部材２２に取付ける。そして、前記内装パネル材４０にそれぞれ固定されたハンガー部材３２を、胴縁部材２２の上側レール部２４の一部に係止具を介して固定することにより、建築物の躯体１０の内壁面１２に対し、従来のような下地ボードを使用することなく、内装パネル材４０を乾式工法により簡便かつ確実に取付けることができる（図３参照）。
【００２６】
このようにして、本実施例によれば、前記取付用金具２０の使用により、建築物の躯体の内壁面と内装パネル材との間に所要の空間部を形成することによって、内装パネル材の断熱効果ないしは通風効果を保持させることができる。特に、本発明に係る取付用金具の胴縁部材とハンガー部材とは、同一形状からなる基材によって構成することができるため、その製造コストを著しく低減することができる利点を有している。
【００２７】
また、前記構成からなる取付用金具２０を使用して、建築物の躯体の外壁面に対する外装パネル材の取付けを、簡便に行うことができる。すなわち、この場合、外装パネル材は図示しないが、取付用金具２０の胴縁部材２２を、建築物の躯体の外壁面に対し、アンカーボルトないし縦胴縁部材を介して所定間隔離間させ、それぞれ横方向に平行させて複数配置固定する。次いで、複数の外装パネル材にそれぞれ固定されたハンガー部材３２を、胴縁部材２２の上側レール部２４と下側レール部２６とに対し、同時にスライド可能に懸吊支持させて、それぞれ複数の外装パネル材を順次並列させて胴縁部材２２に取付ける。そして、前記外装パネル材にそれぞれ固定されたハンガー部材３２を、胴縁部材２２の上側レール部２４の一部にそれぞれクリップやねじ具を設けて前記ハンガー部材の移動を固定することにより、前記内装パネル材４０と全く同様にして、建築物の躯体の外壁面に対し、外装パネル材を乾式工法により簡便かつ確実に取付けることができる。
【００２８】
以上、本発明の好適な実施例についてそれぞれ説明したが、本発明は前記各実施例に限定されることなく、本発明の精神を逸脱しない範囲内において、多くの設計変更が可能である。例えば、本発明における内装パネル材および外装パネル材の取付用金具を構成する胴縁部材やハンガー部材等については、基本的に金属材料により構成されるものであるが、内装パネル材または外装パネル材の材質によっては、金属材料に代えて木質材料等により構成することも可能である。
【００２９】
【発明の効果】
前述した実施例から明らかな通り、本発明に係る内装パネル材および外装パネル材の取付用金具は、建築物の躯体の内壁面または外壁面に沿って水平方向に延在張設する基板を備え、この基板の前記内壁面または外壁面とは反対側の側面に上下に離間する上側レール部と下側レール部とをそれぞれ平行に突設してなる胴縁部材と、前記胴縁部材を長手方向に所定間隔で垂直に切断し、この切断片を反転させてその基板部側を所要の矩形状に形成した内装パネル材または外装パネル材の背面に配置固定してなるハンガー部材とからなり、前記複数の胴縁部材を建築物の躯体の内壁面または外壁面に沿って平行に配設固定し、前記内装パネル材または外装パネル材に固定されたハンガー部材を前記胴縁部材の上側レール部と下側レール部に同時にスライド可能に懸吊支持させる構成とすることにより、この取付用金具を内装パネル材または外装パネル材の背面に適用して、前述した内装パネル材または外装パネル材の建築物の躯体の内壁面または外壁面に対する取り付けを簡便かつ確実にしかも低コストに達成することができる。
【００３０】
また、前記内装パネル材または外装パネル材の取付用金具を使用する本発明に係る内装パネル材および外装パネル材の取付け方法においては、建築物の躯体の内壁面または外壁面に沿って水平方向に延在張設する基板を備え、この基板の前記内壁面または外壁面とは反対側の側面に上下に離間する上側レール部と下側レール部とをそれぞれ平行に突設してなる胴縁部材を、前記建築物の躯体の内壁面または外壁面にアンカーボルトを介して所定間隔離間させてそれぞれ平行に複数配置固定し、所要の矩形状に形成した複数の内装パネル材または外装パネル材の背面に、前記胴縁部材を長手方向に所定間隔で垂直に切断し、この切断片を反転させてなるハンガー部材を適宜離間させて配置固定し、前記内装パネル材または外装パネル材に固定されたハンガー部材の上側ハンガー部と下側ハンガー部とを、胴縁部材の各レール部に同時にスライド可能に懸吊支持させて、複数の内装パネル材または外装パネル材を順次並列させて胴縁部材に取付け、さらに前記内装パネル材または外装パネル材に固定されたハンガー部材の上側ハンガー部と胴縁部材の上側レール部との懸吊支持部に、クリップやねじ具を設けて前記ハンガー部材の移動を固定することにより、各種パネル材からなる内装材または外装材を、従来のような下地ボード等を使用することなく、直接建築物の躯体の内壁面または外壁面に対して、乾式工法により簡便にかつ確実に取付けることができる。
【図面の簡単な説明】
【図１】  本発明に係る内装パネル材および外装パネル材の取付用金具の一実施例を示すもので、内装パネル材を建築物の躯体の内壁面に取付ける状態を示す要部断面図である。
【図２】  図１に示す内装パネル材の取付用金具の分解斜視図であって、（ａ）は胴縁部材の要部斜視図、（ｂ）はハンガー部材の斜視図である。
【図３】  図１に示す内装パネル材の取付用金具の組立て状態を示す概略要部斜視図である。
【符号の説明】
１０  建築物の躯体                    １２  躯体の内壁面
２０  取付用金具 ２２  胴縁部材
２３  基板                            ２４  上側レール部
２５ａ  溝部                          ２５ｂ  肩部
２６  下側レール部                    ２７  溝部
３２  ハンガー部材 ３３  基板部
３４  下側ハンガー部                  ３６  上側ハンガー部
４０  内装パネル材                    ４２  穴部
４３  埋込みナット                    ４４  ボルト
【図１】
0004328438.tif 000002
【図２】
0004328438.tif 000003
【図３】
0004328438.tif 000004